(57)【要約】【課題】シートベルトを好適に使用すると共に、強度を向上させるシートベルト構造を提供する。【解決手段】折畳可能な補助シート３１をステップ３３に配置し、ステップ３３の縦壁部４４に設けた収納凹部４５に、補助シート３１で使用するシートベルト３６を備える。【選択図】図１
2006347198.tif 000002
【特許請求の範囲】
【請求項１】
折畳可能な補助シートをステップに配置し、前記ステップの縦壁部に設けた収納凹部に、前記補助シートで使用するシートベルトを備えたことを特徴とするシートベルト構造。
【請求項２】
収納凹部はステップに箱状部材で形成されると共に、シートベルトは、前記箱状部材の側部に取り付けられた請求項１記載のシートベルト構造。
【発明の詳細な説明】
【技術分野】
【０００１】
本発明は、折畳可能な補助シートにシートベルトを配置するシートベルト構造に関するものである。
【背景技術】
【０００２】
一般に、観光用のバス等は、図６、図７に示す如く、車両前方の乗降口１から複数段のステップ２を介して車内の通路３へ向かう構造を備えると共に、ステップ２に折畳可能な補助シート４及びシートベルト５を設けている。
【０００３】
第一例の補助シート４及びシートベルト５を説明すると、図６、図７に示す如く、補助シート４は、着席部を構成するシートクッション４ａと、背面を構成するシートバック４ｂと、シートクッション４ａを折畳可能にするリンク機構４ｃとを備え、ステップ２の乗降口１近傍位置でキャビネット７の前方に配置されるよう、キャビネット７の下方凹部８に収納可能に構成されている（特許文献１参照）。
【０００４】
シートベルト５は、キャビネット７の下方凹部８に取り付けられて先端にバックル９を配するインナベルト１０と、キャビネット７の側方に位置するウェビング１１と、ウェビング１１の一端を下方で固定するロアアンカ１２と、ウェビング１１の他端を上方で巻取可能に配置するリトラクタ（図示せず）と、リトラクタから延在するウェビング１１を上方で巻き掛けるショルダアンカ１３と、ウェビング１１に遊嵌されてバックル９に着脱し得るタングプレート１４とを備えている。
【０００５】
補助シート４を利用する際には、シートクッション４ａの裏面に形成された取っ手１５により、シートクッション４ａを下方凹部８から前方へ倒して準備し、着席者が着席した際には、シートベルト５のウェビング１１を伸ばしてタングプレート１４とバックル９とを締結し、着席者を拘束する。
【０００６】
着席者が離席する際には、タングプレート１４とバックル９とを外して拘束を解除し、補助シート４を利用しない場合には、シートクッション４ａを後方へ折り畳み、シートバック４ｂと共に下方凹部８に収納している。又、同時に、シートベルト５のバックル９及びインナベルト１０は、シートクッション４ａ等と共に下方凹部８に収納されており、シートベルト５のウェビング１１及びタングプレート１４は、下方凹部８の側方でキャビネット７の面に沿って配置されている。
【０００７】
一方、図８に示す如く、第二例の補助シート１６及びシートベルト１７を説明すると、補助シート１６は、着席部を構成するシートクッション１６ａと、背面を構成するシートバック１６ｂと、リンク機構１６ｃとを備え、ステップ１８の仕切壁１９隣接位置で跳ね上げ可能に配置されている（特許文献２参照）。
【０００８】
シートベルト１７は、先端にバックル２０を配するベルト２１と、バックル２０の反対側端でベルト２１を巻取可能に支持するリトラクタ２２と、ステップ２の床面凹部２３に取り付けられて先端にタングプレート２４を配するアンカベルト２５とを備えている。
【０００９】
補助シート１６を利用する際には、シートクッション１６ａ及びシートバック１６ｂを跳ね上げて準備し、着席者が着席した際には、シートベルト１７のベルト２１を伸ばしてバックル２０とタングプレート２４とを締結し、着席者を拘束する。
【００１０】
着席者が離席する際には、バックル２０とタングプレート２４とを外して拘束を解除し、補助シート１６を利用しない場合には、シートクッション１６ａ及びシートバック１６ｂを下方へ折り畳んでいる。同時に、シートベルト１７のタングプレート２４及びアンカベルト２５は床面凹部２３に収納されている。
【特許文献１】特開平１０−１５７５６６号公報
【特許文献２】実開昭５４−６８３２２号公報
【発明の開示】
【発明が解決しようとする課題】
【００１１】
しかしながら、第一例の補助シート４及びシートベルト５は、バックル９及びインナベルト１０を補助シート４と共に下方凹部８に収納するため、収納時にはシートクッション１６ａ等に絡み付き、使用が困難であるという問題があった。又、キャビネット７の内方にはタンク（図示せず）を配置するため、下方凹部８をキャビネット７に形成した場合には、タンクの容積に影響を与えるという問題があった。更に、補助シート４が配置される乗降口１近傍のステップ２は狭いため、居住性が悪いという問題があった。
【００１２】
一方、第二例の補助シート１６及びシートベルト１７は、アンカベルト２５を床面凹部２３の床面に取り付けるため、壁面に比べて強度が十分でないという問題があった。又、床面凹部２３には、ごみが溜り易いと共に、清掃の水洗時に水溜りを生じるという問題があった。
【００１３】
更に、シートベルト５，１７の配置構成の中には、シートベルト５，１７を収納用の凹部に備えることなく、シートベルト５，１７を補助シート４，１６自体に配置するものがあるが、強度的に不利であった。
【００１４】
本発明は上述の実情に鑑みてなしたもので、シートベルトを好適に使用すると共に、強度を向上させるシートベルト構造を提供することを目的としている。
【課題を解決するための手段】
【００１５】
本発明は、折畳可能な補助シートをステップに配置し、前記ステップの縦壁部に設けた収納凹部に、前記補助シートで使用するシートベルトを備えたことを特徴とするシートベルト構造、に係るものである。
【００１６】
本発明において、収納凹部はステップに箱状部材で形成されると共に、シートベルトは、前記箱状部材の側部に取り付けられることが好ましい。
【００１７】
このように、本発明によれば、シートベルトのみを収納凹部に収納するので、シートベルトの絡み付きを抑制し、シートベルトを好適に使用することができる。又、収納凹部を形成するステップの裏面が空間であるので、収納凹部の配置により、他の構成部材に与える影響を防止することができる。更に、シートベルトを備えるステップは段部を備えるので、シートベルトの取付部分の剛性が高く、強度を高めることができる。更に又、シートベルトを備えるステップは、前方に下段のステップを備えるので、居住性を高めることができる。
【００１８】
又、収納凹部をステップの縦壁部に設けるので、ごみ溜りの発生や、清掃の水洗時による水溜りの発生を防止することができる。更に、シートベルトを補助シートでなく、収納凹部に取り付けるので、強度を高めることができる。
【００１９】
本発明において、収納凹部はステップに箱状部材で形成されると共に、シートベルトを、前記箱状部材の側部に取り付けると、シートベルトの取付位置は、荷重方向に対して直接的に荷重を受けるので、強度を高めることができる。
【発明の効果】
【００２０】
上記した本発明のシートベルト構造によれば、シートベルトを収納する収納凹部によりシートベルトを好適に使用すると共に、強度を向上することができるという種々の優れた効果を奏し得る。
【発明を実施するための最良の形態】
【００２１】
以下本発明の実施の形態を図面を参照しつつ説明する。
【００２２】
図１〜図５は本発明を実施する形態例を示すものである。
【００２３】
本発明の形態例において、補助シート３１は、着席部を構成するシートクッション３１ａと、背面を構成するシートバック３１ｂと、シートクッション３１ａを折畳可能にするフレーム状の支持機構３１ｃ及びアーム部３１ｄとを備え、運転席３２に隣接して複数段のステップ３３に設置し得るよう、運転席３２の仕切壁３４に形成された側方凹部３５に収納可能に構成されている。
【００２４】
補助シート３１には、着席者を拘束する３点式のシートベルト３６を配置しており、３点式のシートベルト３６は、仕切壁３４及び側方凹部３５で延在するウェビング３７と、側方凹部３５の側面でウェビング３７の下端を固定するロアアンカ３８と、ウェビング３７の上方を巻取可能に支持するリトラクタ（図示せず）と、リトラクタから延在するウェビング３７を上方で巻き掛けるショルダアンカ３９と、ウェビング３７に遊嵌されるタングプレート４０と、タングプレート４０を着脱可能にするよう先端にバックル４１を配するインナベルト４２とを備えている。
【００２５】
インナベルト４２は、図２〜図４に示す如く、アンカ４３を介して、ステップ３３の縦壁部４４に形成された収納凹部４５に取り付けられており、収納凹部４５は、縦壁部４４に凹状の内部空間を形成するコ字状の箱状部材４６と、箱状部材４６に対応して取り付けられる前面部材４７とを備えている。
【００２６】
コ字状の箱状部材４６は、奥面４６ａと、奥面４６ａの周囲を囲む内方周囲面４６ｂと、内方周囲面４６ｂの外周に形成される取付縁部４６ｃとにより構成され、縦壁部４４のステップパネル４８に形成された開口４９を取り囲むよう、ステップパネル４８の裏面に取り付けられている。
【００２７】
前面部材４７は、箱状部材４６の内部空間に位置する内方周囲部４７ａと、内方周囲部４７ａの外周に位置する周囲縁部４７ｂと、内方周囲部４７ａの下辺にヒンジ４７ｃを介して開閉可能に取り付けられるリッド４７ｄと、周囲縁部４７ｂの周囲面に貼付されてリッド４７ｄの閉止時に密着するシール部４７ｅと、内方周囲部４７ａとリッド４７ｄに取り付けらるリンク機構４７ｆと、リッド４７ｄの上部で摺動可能に配置される取っ手部４７ｇとを備えており、周囲縁部４７ｂは、ボルト等の締結手段５５により、縦壁部４４のステップパネル４８の表面にマット５０を介して取り付けられている。
【００２８】
ここで、前面部材４７の取っ手部４７ｇは、内部にスプリング４７ｈを備えて上方へ余勢されており、リッド４７ｄにより周囲縁部４７ｂの開口を閉じた際には、取っ手部４７ｇの先端が内方周囲部４７ａの上面孔５１に係止してリッド４７ｄを固定し、リッド４７ｄを周囲縁部４７ｂから離間させる際には、取っ手部４７ｇを下方に引いて取っ手部４７ｇの先端を内方周囲部４７ａの上面孔５１から外し、リッド４７ｄを開放可能にしている。
【００２９】
又、シートベルト３６を構成するインナベルト４２は、箱状部材４６の内方周囲面４６ｂに取り付けられるよう、アンカ４３を支持する取付ボルト５２により、内方周囲部４７ａの孔及び内方周囲面４６ｂに設けられたナット５３に固定され、箱状部材４６の側部に取り付けられている。
【００３０】
更に、シートベルト３６を構成するバックル４１の裏面、及び収納凹部４５を構成する箱状部材４６の奥面４６ａには、互いに着脱自在な面テープ５４を配置し、バックル４１を奥面４６ａに固定可能にしている。
【００３１】
以下、本発明を実施する形態例の作用を説明する。
【００３２】
補助シート３１を利用する際には、シートクッション３１ａの裏面に形成された取っ手（図示せず）により、側方凹部３５からシートクッション３１ａを側方へ倒し、支持機構３１ｃを介してシートバック３１ｂ及びアーム部３１ｄを展開し、同時に、収納凹部４５のリッド４７ｄを開いてシートベルト３６のバックル４１及びインナベルト４２を収納凹部４５から取り出す。着席者が着席した際には、シートベルト３６のウェビング３７を伸ばしてタングプレート４０とバックル４１とを締結し、着席者を拘束する。
【００３３】
着席者が離席する際には、タングプレート４０とバックル４１とを外して拘束を解除する。補助シート３１を利用しない場合には、支持機構３１ｃを介してシートバック３１ｂ及びアーム部３１ｄを前方に折り畳み、シートバック３１ｂと共にシートクッション３１ａを側方へ更に折り畳んで側方凹部３５に収納し、同時に、シートベルト３６のバックル４１及びインナベルト４２を収納凹部４５に入れて面テープ５４によりバックル４１を収納凹部４５の奥面４６ａに固定し、リッド４７ｄを閉じて収納凹部４５に収納する。
【００３４】
このように、実施の形態例によれば、シートベルト３６のバックル４１及びインナベルト４２のみを収納凹部４５に収納するので、インナベルト４２の絡み付きを抑制し、シートベルト３６を好適に使用することができる。又、収納凹部４５を形成するステップ３３の裏面が空間であるので、収納凹部４５の配置により、タンク等の他の構成部材に与える影響を防止することができる。更に、シートベルト３６を備えるステップ３３は段部を備えると共に運転席３２の仕切壁３４に隣接するので、シートベルト３６の取付部分の剛性が高く、強度を高めることができる。更に又、シートベルト３６を備えるステップ３３は、前方に下段のステップ３３を備えるので、居住性を高めることができる。
【００３５】
又、収納凹部４５をステップ３３の縦壁部４４に設けるので、ごみ溜りの発生や、清掃の水洗時による水溜りの発生を防止することができる。更に、シートベルト３６を補助シート３１でなく、収納凹部４５に取り付けるので、強度を高めることができる。更に又、収納凹部４５には開閉可能なリッド４７ｄを備えると、見栄えを向上することができる。又、収納凹部４５にシートベルト３６を収納してリッド４７ｄを閉じた際には、ステップ３３の通過時に足を引っ掛けることがなく、乗降性を高めることができる。更に、収納凹部４５は、シートベルト３６のバックル４１及びインナベルト４２のみを収納する専用の凹部であるので、凹部の大きさを小さくすることができる。更に又、シートベルト３６の操作性を高めることができる。
【００３６】
実施の形態例において、収納凹部４５はステップ３３に箱状部材４６で形成されると共に、シートベルト３６を、箱状部材４６の内方周囲面４６ｂの側部に取り付けると、シートベルト３６の取付位置は、荷重方向に対して、せん断方向で直接的に荷重を受けるので、強度を高めることができる。又、収納凹部４５には開閉可能なリッド４７ｄを設けると共にシール部４７ｅを備えると、ごみ溜り発生や、清掃時の水洗時による水溜りの発生を一層防止することができる。
【００３７】
尚、本発明のシートベルト構造は、上述の形態例にのみ限定されるものではなく、本発明の要旨を逸脱しない範囲内において種々変更を加え得ることは勿論である。
【図面の簡単な説明】
【００３８】
【図１】本発明を実施する形態例のシートベルト構造を示す概略図である。
【図２】収納凹部とシートベルトを拡大して示す概念図である。
【図３】収納凹部を開閉する状態の断面を示す概念図である。
【図４】収納凹部の前面部材を開口に取り付ける状態を示す概念図である。
【図５】インナベルトの端部と収納凹部の側壁と固定した状態を示す概略断面図である。
【図６】従来のシートベルト構造の第一例を示す概念図である。
【図７】従来のシートベルト構造の第一例であって補助シートを収納した状態を示す概念図である。
【図８】従来のシートベルト構造の第二例を示す概念図である。
【符号の説明】
【００３９】
３１    補助シート
３３    ステップ
３６    シートベルト
４４    縦壁部
４５    収納凹部
４６    箱状部材
４６ｂ  内方周囲面（側部）
【図１】
2006347198.tif 000003
【図２】
2006347198.tif 000004
【図３】
2006347198.tif 000005
【図４】
2006347198.tif 000006
【図５】
2006347198.tif 000007
【図６】
2006347198.tif 000008
【図７】
2006347198.tif 000009
【図８】
2006347198.tif 000010